(57)【要約】【課題】  消臭剤とか脱臭剤などは使用せず、送風機で閉鎖された区画室全体を有効な負圧状態にし、この負圧の作用で新鮮な外気を区画室内に導入し、臭気・湿気物の収容区画室や便器の設置される区画室全体の脱臭を図った脱臭区画室構造および脱臭型トイレユニットを提供する。【解決手段】  密閉可能な開閉扉を備えた閉鎖区画室１、２１と、この区画室の壁部に設けられた排気装置と、区画室の上部に設けられ、かつ、開閉板９，２９を備えた吸気装置５，２５と、排気装置（排気口ファン３，２３）の作動制御装置と、区画室内に設置された便器３０とを有し、吸気装置の開閉板は排気装置によりもたらされる区画室の負圧によって開動作されて吸気装置から区画室に外気が導入されるように構成されている。【選択図】  図３
2019200011.tif 000002
【特許請求の範囲】
【請求項１】
密閉可能な開閉扉を備えた閉鎖区画室と、前記区画室の壁部に設けられた排気装置と、前記区画室の上部に設けられ、かつ、開閉板を備えた吸気口装置と、前記排気装置の作動制御装置とを有し、前記吸気口装置の前記開閉板は前記排気装置によりもたらされる前記区画室内の負圧によって開動作されて前記吸気口装置から前記区画室に外気が流入されるように構成されていることを特徴とする脱臭区画室構造。
【請求項２】
前記区画室の左右内壁に掛留め部が形成され、前記掛留め部に使用済み衣類等の臭気・湿気物を保持する棚状またはテーブル状の保持板が掛留めされるようになっていることを特徴とする請求項１に記載した脱臭区画室構造。
【請求項３】
前記排気装置の前記作動制御装置は人感センサーを有し、前記区画室内に入室した人影の検知により前記排気装置の作動がなされるようになっていることを特徴とする請求項１または２に記載した脱臭区画室構造。
【請求項４】
密閉可能な開閉扉を備えた閉鎖区画室と、前記区画室の壁部に設けられた排気装置と、前記区画室の上部に設けられ、かつ、開閉板を備えた吸気口装置と、前記排気装置の作動制御装置と、前記区画室内に設置された便器とを有し、前記吸気口装置の前記開閉板は前記排気装置によりもたらされる前記区画室内の負圧によって開動作されて前記吸気口装置から前記区画室に外気が流入されるように構成されていることを特徴とする脱臭型トイレユニット。
【請求項５】
前記吸気口装置は暖・冷気装置および風向き調整可能な風向翼を備えていることを特徴とする請求項４に記載した脱臭型トイレユニット。
【請求項６】
前記排気装置の前記作動制御装置は人感センサーを有し、前記区画室内に入室した人影の検知により前記排気装置の作動がなされるようになっていることを特徴とする請求項４または５に記載した脱臭型トイレユニット。
【発明の詳細な説明】
【技術分野】
【０００１】
本発明は、臭気や湿気のある使用済み衣類や汚染物等を収容する脱臭区画室構造および脱臭型トイレユニットに関する。
【背景技術】
【０００２】
一般家庭で使用するトイレに関して、トイレ室内に漂う臭気を除去する対策として従来から種々のものが提案されている。トイレの閉鎖空間の天井あるいは上部近くに換気扇を設置することもひとつの臭気除去対策であるが、そのほかにも例えば特殊な脱臭剤をトイレ本体に付属させて臭気を除去するもの、あるいは快い芳香を発する芳香剤をトイレ室内に収容してトイレの不快な臭気を薄めるようにしたもの等がよく知られている。
【０００３】
トイレ室内の天井や上部近くに換気扇を設置して臭気を外部に排気するという最も一般的な脱臭手段は換気扇の容量や能力との関係で充分な脱臭対策とならず、換気扇の容量にも現実には限界があり、また、大形の換気扇では電力コストや騒音等の問題がある。
【０００４】
また、例えば老人ホームや養護施設などで入居者の使用後の衣類を一箇所に集めておき、状況に応じて洗濯用とか廃棄処分用などに分別を行うような場合にも、収容室内は不快な臭気や湿気に満たされて介助業務に当たる職員の負担が大きい。このような場合、施設入居者の使用済みの衣類や汚物を一時的に収容する区画室の脱臭、排気など室内環境の清浄化が必要となるが、このような施設では汚物収集室の脱臭、排気の対策としては単に通常の換気扇を壁や窓などに設ける程度の対策しかなされていない。
【０００５】
従来の家庭用トイレの脱臭対策として、換気扇の設置以外に例えば特許文献１〜６に示されるものが開示されている。この中で、特許文献１の換気方法および換気装置は便器からエアーを吸い込み、この臭気を含むエアーをトイレタンクの水中に通すことで脱臭するという方法であり、具体的には、エアーポンプと、便器からエアーを吸い込む臭気吸込み部材と、臭気吸込み部材からのエアーを貯水器へ送り込む臭気排出部材とを有する構成としている。
【０００６】
特許文献２の静電霧化装置付きトイレ設備は、静電霧化装置を用いて帯電微粒子水をトイレルームに噴霧状に飛散させることで臭気やカビ類を除去する装置である。また、特許文献３のトイレ脱臭装置は、トイレ本体の内部に触媒体と吸着剤を混合した吸収体と酸素富化空気発生装置を設けたものであり、触媒体の触媒作用と吸着作用をもつ特殊な触媒を必要とする脱臭装置である。特許文献４の脱臭器はモータ駆動の脱臭器であって、人の便所内にいる滞在時間の長短に応じて便所退出後の運転時間を制御し、省電力化を図ろうとする技術である。また特許文献５および６の装置はいずれも脱臭剤を内蔵した脱臭装置であって、内蔵送風機と一体に構成したものであり、トイレ室内の臭気をファンにより排出すると同時に前記ファンにより室内を積極的に負圧状態にして清浄な外気を室内に流入させるという構成ではない。
【先行技術文献】
【特許文献】
【０００７】
【特許文献１】特開昭６１−８９４３４号公報
【特許文献２】特開２００９−２９９４６６号公報
【特許文献３】特開２００６−１５２５５３号公報
【特許文献４】特開平５−２５３２７８号公報
【特許文献５】特開昭６２−１５５４５６号公報
【特許文献６】特開平９−１３５８８９号公報
【発明の概要】
【発明が解決しようとする課題】
【０００８】
トイレの室内は通常換気扇が備わっているものの、有効な脱臭のためには換気扇の排気能力は充分でないものが多く、どうしても排泄物臭が残る。特に集合住宅あるいは戸建ての家庭用のトイレは狭い閉鎖空間に便器が設置されるため、排泄物臭だけでなく、使用者の体臭、口臭、放屁その他化粧臭や消臭剤の臭いなどの臭気が室内に漂っており、不快な空間というイメージが抜けない。特に、近年の猛暑日が続く夏季には閉鎖空間内が熱気や湿気、蒸発汗の臭いに満ち、トイレに入ることに躊躇しがちとなる。
【０００９】
また、老人ホームや養護施設などで入居者の使用済み衣類や洗濯物等を一時的に収容しておく専用部屋でも状況は同様であり、このような場所で分別等の処理作業をする介助者や施設職員にとってこの種の保管物から発生する臭気には悩まされている。
【００１０】
このようにトイレ内の不快な臭気を除去するため、従来から多くの対策がとられてきたが、その中でも上述した特文献１〜６の技術はいずれもトイレ本体即ち便器自体に消臭剤を付加するか、便器近傍の臭気を脱臭するものであって、トイレの室内全体の環境を浄化、脱臭して快適な空間にしようとするものではない。また、脱臭剤や消臭剤は通常使用期限があり、定期的に新しいものと交換しなければならず、交換の手数やコストの面でも問題があった。
【００１１】
本発明は、消臭剤とか脱臭剤などは全く使用せず、使用済み衣類や汚物の収容室の脱臭、脱湿気を達成し、夏季の熱気や不快な湿気を排除して快適な環境の脱臭区画室構造を提供することを目的とする。
【００１２】
また本発明は、消臭剤とか脱臭剤などは使用せず、トイレ室の内部全体を有効な負圧状態にし、この負圧の作用で新鮮な外気をトイレ室内に流入させ、トイレ室全体の脱臭を達成し、夏季の熱気や不快な湿気を排除した脱臭型トイレユニットを提供することを目的とするものである。
【課題を解決するための手段】
【００１３】
本発明の第１の発明によれば、密閉可能な開閉扉を備えた閉鎖区画室と、前記区画室の壁部に設けられた排気装置と、前記区画室の上部に設けられ、かつ、開閉板を備えた吸気口装置と、前記排気装置の作動制御装置とを有し、前記吸気口装置の前記開閉板は前記排気装置によりもたらされる前記区画室内の負圧によって開動作されて前記吸気口装置から前記区画室に外気が流入されるように構成された脱臭区画室構造が提供される。
【００１４】
本発明の第１の発明に係る脱臭区画室構造のひとつの実施形態によれば、前記区画室の左右内壁に掛留め部が形成され、前記掛留め部に使用済み衣類等の臭気・湿気物を保持する棚状またはテーブル状の保持板が掛留めされるようになっていることを特徴とする。
【００１５】
さらに本発明の第１の発明に係る脱臭区画室構造の他の実施形態によれば、前記排気装置の前記作動制御装置は人感センサーを有し、前記区画室内に入室した人影の検知により前記排気装置の作動がなされるようになっていることを特徴とする。
【００１６】
本発明の第２の発明によれば、密閉可能な開閉扉を備えた閉鎖区画室と、前記区画室の壁部に設けられた排気装置と、前記区画室の上部に設けられ、かつ、開閉板を備えた吸気口装置と、前記排気装置の作動制御装置と、前記区画室内に設置された便器とを有し、前記吸気口装置の前記開閉板は前記排気装置によりもたらされる前記区画室内の負圧によって開動作されて前記吸気口装置から前記区画室に外気が流入されるように構成された脱臭型トイレユニットが提供される。
【００１７】
本発明の第２の発明に係る脱臭型トイレユニットのひとつの実施形態によれば、前記吸気口装置は暖・冷気装置および風向き調整可能な風向翼を備えていることを特徴とする。
【００１８】
本発明の第２の発明に係る脱臭型トイレユニットの他の実施形態によれば、前記排気装置の前記作動制御装置は人感センサーを有し、前記区画室内に入室した人影の検知により前記排気装置の作動がなされるようになっていることを特徴とする。
【発明の効果】
【００１９】
本発明によれば、消臭剤とか脱臭剤などは使用せず、使用済み衣類や汚物の収容室の脱臭を達成し、夏季の熱気や不快な湿気を排除して快適な環境の収容室を得ることができる。
【００２０】
また本発明によれば、消臭剤とか脱臭剤などは使用せず、トイレ室全体を有効な負圧状態にし、この負圧の作用で新鮮な外気をトイレ室内に導入し、トイレ室全体の脱臭を達成し、夏季の熱気や不快な湿気を排除した脱臭型トイレユニットを得ることができる。
【図面の簡単な説明】
【００２１】
【図１】本発明の第１の発明の実施例に係る脱臭区画室構造の概略的な側面断面図である。
【図２】図１のＡ−Ａ線断面図である。
【図３】本発明の第２の発明の実施例に係る脱臭型トイレユニットの概略的な側面断面図である。
【図４】本発明の第２の発明の他の実施例に係る脱臭型トイレユニットの概略的な側面断面図である。
【図５】本発明の実施例４に係る脱臭型トイレユニットの上部の側面断面図である。
【図６】図５の矢視Ｆから見た開口調整板の拡大平面図である。
【発明を実施するための形態】
【００２２】
次に、本発明を、図面を参照しつつ、好適な実施例について説明する。
（実施例１）
図１は本発明の第１の発明に係る脱臭区画室構造の実施例１を示した概略的な側面断面図であり、図２は図１のＡ−Ａ線断面図である。これらの図に示すように、実施例１の排気脱臭装置は少なくとも人が入り得る大きさの周囲が閉鎖された区画室１を有し、この区画室１の前面に区画室内を密閉できる開閉扉２が設けられている。区画室１の奥方の壁部（後壁１ａ）に区画室内の空気を外部へ排出する排気口ファン３が設置されている。区画室１には排気口ファン３の回転数を制御して風量を調節するコントローラ（図示省略）が設けられている。さらに、区画室１の上部には区画室１から外部へ連通する吸気装置５が設けられている。具体的には、区画室１の天板１ｂに形成された空気吹出口６と、吹出口６に設けられた風向きを調整可能な風向翼７と、吹出口６から外部へ延びる吸気ダクト８と、吸気ダクト８に設けられた逆止弁とが設けられている。
【００２３】
この実施例の逆止弁は、図１，図２に示すように矩形横断面の吸気ダクト８を閉塞する大きさの開閉板９の上端が吸気ダクト８の上部に枢着された形態で構成されている。開閉板９は吸気装置が作動していないときには開閉板９の自重で下端が垂下して吸気ダクト８を閉塞し、区画室１が負圧状態になったとき、区画室１につながる吸気ダクト８を介して吸気風流により開閉板９がその上端の枢支点１０を支点にして吹出口６側へ変位して吸気ダクト８を開放するようになっている。これによって外気が吸気ダクト８から区画室１内へ流入する。なお、場合により吸気装置５の吸気ダクト８あるいは吹出口近傍に吹出空気の温度調整、湿度調整を行うためのヒータ（図示省略）等が設けられている。
【００２４】
区画室１の正面（開閉扉側）からみて左右側部には前後方向にのびる手摺り状の突条１１が設けられ、左右の手摺り状突条１１にテーブル１２が脱着可能に掛け渡されるようになっている。テーブル１２は奥方、中間位置等複数個設けられてもよい。また、場合によっては前後方向に延びる手摺り状突条１１およびこれに掛け渡される水平なテーブル１２が区画室１の上下方向に複数段設けられるようにしてもよい。このテーブル１２は後述するように使用済み衣類や廃棄物品を保持し、処理するための保持板として使われる。
【００２５】
上述した区画室１は、例えば高齢者の介護施設や若年者の養護施設、病院、あるいはホテル等の廃棄物処理場所や使用済み衣類等の保管場所に設置される。このような施設では利用者、入居者、宿泊者等の使用後の下着等の衣類を洗濯あるいは廃棄処分する必要が生じ、このような場合に本実施例の区画室の装置が利用される。例えば、被介助者や乳幼児の使用済み衣類、オムツ、使用済みタオル等を区画室１内の前記テーブル１２に載置して乾燥させてから廃棄処分するのに有用である。また、これらの物を区画室１に一時的に保管し、まとめて洗濯にまわすなどの処置するときにも利用される。介助者が区画室１の開閉扉２を開いて室内に入ると、人感センサーがこれを検知し、その検知信号によって排気口ファン３が作動し、開閉扉２を閉めることによって区画室１内の気圧が負圧状態となる。
【００２６】
開閉扉２は区画室１に対して密閉状態に閉じられるので、区画室１内は効果的に、かつ充分な負圧状態が実現し、これに伴ない、区画室上部の吸気装置５の吸気ダクト８内も負圧となり、開閉板９で構成した逆止弁が吸気装置５の吸気口から外気に押されて開成し、吹出口６から新鮮な外気が区画室１内に流入するとともに、テーブル１２上に載置した汚染衣類、タオル等から発生する臭気や湿気等が排気口ファン３により排除されて、区画室１内が清浄な環境状態になる。区画室１に幼児を含む被介助者の使用済み衣類、オムツ等を収容する介助者は新鮮な外気を上方から浴びながら快適に作業を行うことができる。区画室１内は脱臭、脱湿されて新鮮な空気が流入するため、湿気を帯びた使用済み衣類の乾燥も早まり、その後の廃棄や洗濯の作業も楽になる。
【００２７】
（実施例２）
次に、本発明の第２の発明である脱臭型トイレユニットの実施例について図３，図４を参照して説明する。実施例２のトイレユニット２０は戸建て住宅、マンション等の個人住宅に適用して特に有用であり、野外に対向する壁面に接した形態で設置される。まず、トイレユニット本体は人が立位状態で入り得る大きさの区画室２１で構成されている。区画室２１の前面（正面）には区画室２１を密閉状態に閉塞し得る開閉扉２２が設けられ、奥方の後壁下部に排気口ファン２３が設置されている。実施例２では区画室２１の後壁２１ａは家屋の外壁に対面して形成され、したがって排気口ファン２３による排気は家屋の外壁に通して外部に連通している。
【００２８】
区画室２１の上部壁には、実施例１で説明したような吸気装置２５が設けられている。具体的には、区画室２１の天板２１ｂに形成された吹出口２６と、吹出口２６に設けられた風向き調整可能な風向翼２７と、吹出口２６から外部へ延びる吸気ダクト２８と、吸気ダクト２８に設けられた逆止弁とが設けられている。この実施例の逆止弁は、図３，図２にも示すように、矩形横断面の吸気ダクト２８を閉塞する大きさの開閉板２９で構成され、開閉板２９の上端が吸気ダクト２８の上部に枢着され、排気口ファン２３が作動していないときには開閉板２９の自重で下端が垂下して吸気ダクト２８を閉塞し、排気口ファン２３の作動時には区画室２１内の負圧による吸気風流により開閉板２９がその上端の枢支点２４を支点にして吹出口２６側へ変位して吸気ダクト２８が開放され、外気が吸気ダクト２８を通して区画室２１内に流入するようになっている。なお、場合により吸気装置２５の吸気ダクト２８あるいは吹出口２６近傍に吹出空気の温度調整、湿度調整を行うためのヒータ（図示省略）等が設けられている。
【００２９】
区画室２１の底部には便器３０が設置されている。この便器３０からの汚物排出設備や手洗い設備、トイレットペーパーの設置等は通常のトイレ設備と同様に設けられている。また、使用者が開閉扉２２から区画室２１内に入ったことを検知する人感センサー（図示省略）が室内に設けられ、その検知信号により排気口ファン２３が作動し、使用者が開閉扉２２を閉めることにより区画室２１内の気圧が負圧状態となる。
【００３０】
区画室２１内が負圧になることにより、これに伴ない、区画室上部の吸気装置２５の吸気ダクト２８内も負圧となり、逆止弁の開閉板２９が吸気口から外気に押されて開成し、吹出口２６から新鮮な外気が区画室２１内に流入し、トイレ内の臭気や湿気等が排気口ファン２３により排除される。トイレの使用者は新鮮な外気を上方から浴びながら快適に排便を行うことができ、また、上方から勢いよく流入する気流により扇風機と同様の効果がもたらされ、夏季の猛暑日にも快適にトイレ内に留まることができる。逆に、冬季の寒い時期には吸気装置２５の吸気ダクト２８に設けられているヒーターを作動させることにより、温暖な空気が吹出口２６から区画室２１内に流入し、同様に快適な使用が可能となる。
【００３１】
（実施例３）
上述の実施例１，２ではいずれも排気口ファン２３が区画室２１下部の後壁に設けられているが、排気口ファン２３の設置位置は必ずしもこの位置に限定されるものではなく、図４の実施例３に示すように、区画室２１の上部に設けるようにしてもよい。実施例３では、後壁２１ａに隣接して上下に延在する排気通路３１が設けられ、排気通路３１の下端が便器３０に隣接した区画室下部に開口し、排気通路３１の上端が区画室２１の天板近くの後壁２１ａに設けた排気口ファン２３に連通するように構成されている。便器周囲の臭気は区画室上部の吹出口２６からの新鮮な吹出し風と干渉することなく区画室後壁２１ａの排気通路３１を上昇し、区画室上部の排気口ファン２３により排出される。
【００３２】
吹出口２６に設けられた風向翼２７は吹出し風の向きを変え得るように各翼の傾斜角度を調整できるようになっている。平行に配列された複数の風向翼２７は各々区画室２１の天板部分に軸支されており、天板の下側で各翼を貫通し、かつ各翼に係止された操作軸３２を前後にスライドさせることにより、複数の風向翼２７の傾斜角度を同時に変更できるようになっている。トイレ内で操作軸３２を操作することにより、便器３０に着座している使用者の頭上〜顔面に向って風が吹き付けられるように調整したり、逆に便座上の使用者に直接冷風が当らないように入口側へ向けて空気流が生じるようにすることができる。区画室２１に設けられたコントローラにより、状況に応じて排気口ファン２３の電圧を変えてファンの回転数を変化させ、全体の風勢を調節することも可能である。なお、室内に人がいないときは排気口ファン２３が作動せず、この状態では吸気装置２５の開閉板２９によって吸気ダクト２８は閉じられているので、屋外の塵芥や害虫などが室内に侵入することはない。
【００３３】
（実施例４）
次に、図５、図６を参照して本発明の実施例４の構造を説明する。図６は天板２１ｂに形成された吹出口２６の開口調整板３５，３６を示した拡大平面図であり、図５の矢視Ｆから見た図である。トイレ区画室２１の天板２１ｂに形成された吹出口２６に、吹出風の風向きを変える風向翼２７および操作軸３２が設けられることは実施例３と同様であるが、実施例４では天板上側の吸気ダクト２８に、かつ天板上面（裏面）に接して摺動可能な一対の開口調整板３５，３６が設けられている。一対の開口調整板３５，３６はガイド３７に沿って吹出口２６を閉鎖する方向および開口する方向に手動でスライドするようになっている。
【００３４】
図６に示すように天板２１ｂには通し溝３８，３９が形成され、この通し溝３８，３９に開口調整板３５，３６に形成された調整板操作ステム４０，４１が遊挿されている。区画室内からこの操作ステム４０，４１を通し溝３８，３９に沿って横動させることで吹出口２６の開口度、開口位置を変えることができる。両側の開口調整板３５，３６と共働して開口部分を片側へずらすこともできる。なお、この実施例４においては、前記開口調整板およびその操作機構以外は実施例２、実施例３と同様であり、これらの部分には同一の符号を付し、その重複した説明は省略する。
【００３５】
前記吹出口および前記風向翼の位置は天井の高さで決まるため、天井が高いと前記吹出口および前記風向翼から吹き出す風は弱まり、天井が低いと吹き出す風は強まる。また、外気の吸入口である吸気口を左右など本体側面上部方向に設置する場合、吹き出す風に強弱のムラが出来やすい。そこで、本発明においては、使用者の好みで、天井が高い場合は、前記吹出口および前記風向翼における開口を絞って吹き出す風を強くし、天井が低い場合は開口を拡げて吹き出す風を弱くし、また、吹き出す風に強弱のムラができる場合は、前記吹出口の位置を左右に調節することができるように構成している。
【００３６】
以上説明したように本発明においては、開閉扉は区画室に対して気密状態に閉塞できるようになっており、外気と連通する部分は吸気装置の吹出口のみであるため、排気口ファンの作動により区画室内の負圧が効果的に、かつ確実に達成され、これによって吸気装置からの外気が効率よく、かつ効果的に区画室内にもたらされ、脱臭剤などを用いずに優れた脱臭効果が得られ、室内環境の清浄化、室内湿度等の最適化が図られる。本発明は介護施設や病院、ホテル等における廃棄物処理場所、使用済み衣類や洗濯物の一時保管場所のほか、一般家庭あるいは各種施設のトイレに適用することのほか、例えば浴室に隣接した脱衣場やスポーツ施設の更衣室などに適用して有用である。
【符号の説明】
【００３７】
１，２１  区画室
２，２２  開閉扉
３，２３  排気口ファン
２４      枢支点
５，２５  吸気装置
６，２６  吹出口
７，２７  風向翼
８，２８  吸気ダクト
９，２９  開閉板
１０  枢支点
１１  突条
１２  テーブル
２０  トイレユニット
３０  便器
３１  排気通路
３２  風向翼操作軸
３５，３６  開口調整板
３７  ガイド
３８，３９  通し溝
４０，４１  調整板操作ステム
【図１】
2019200011.tif 000003
【図２】
2019200011.tif 000004
【図３】
2019200011.tif 000005
【図４】
2019200011.tif 000006
【図５】
2019200011.tif 000007
【図６】
2019200011.tif 000008
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
密閉可能な開閉扉を備えた閉鎖区画室と、前記区画室下部の後壁に設けられた排気装置と、前記区画室の上部に設けられ、かつ、開閉板を備えた吸気口装置と、前記排気装置の作動制御装置とを有し、前記吸気口装置の前記開閉板は前記排気装置によりもたらされる前記区画室内の負圧によって開動作されて前記吸気口装置から前記区画室に外気が流入されるように構成されていることを特徴とする脱臭区画室構造。
【請求項２】
前記区画室の左右内壁に掛留め部が形成され、前記掛留め部に使用済み衣類等の臭気・湿気物を保持する棚状またはテーブル状の保持板が掛留めされるようになっていることを特徴とする請求項１に記載した脱臭区画室構造。
【請求項３】
前記排気装置の前記作動制御装置は人感センサーを有し、前記区画室内に入室した人影の検知により前記排気装置の作動がなされるようになっていることを特徴とする請求項１または２に記載した脱臭区画室構造。
【請求項４】
密閉可能な開閉扉を備えた閉鎖区画室と、前記区画室下部の後壁に設けられた排気装置と、前記区画室の上部に設けられ、かつ、開閉板を備えた吸気口装置と、前記排気装置の作動制御装置と、前記区画室内に設置された便器とを有し、前記吸気口装置の前記開閉板は前記排気装置によりもたらされる前記区画室内の負圧によって開動作されて前記吸気口装置から前記区画室に外気が流入されるように構成されていることを特徴とする脱臭型トイレユニット。
【請求項５】
前記吸気口装置は暖・冷気装置および風向き調整可能な風向翼を備えていることを特徴とする請求項４に記載した脱臭型トイレユニット。
【請求項６】
前記排気装置の前記作動制御装置は人感センサーを有し、前記区画室内に入室した人影の検知により前記排気装置の作動がなされるようになっていることを特徴とする請求項４または５に記載した脱臭型トイレユニット。
【手続補正２】
【補正対象書類名】明細書
【補正対象項目名】００１３
【補正方法】変更
【補正の内容】
【００１３】
本発明の第１の発明によれば、密閉可能な開閉扉を備えた閉鎖区画室と、前記区画室下部の後壁に設けられた排気装置と、前記区画室の上部に設けられ、かつ、開閉板を備えた吸気口装置と、前記排気装置の作動制御装置とを有し、前記吸気口装置の前記開閉板は前記排気装置によりもたらされる前記区画室内の負圧によって開動作されて前記吸気口装置から前記区画室に外気が流入されるように構成されていることを特徴とする脱臭区画室構造が提供される。
【手続補正３】
【補正対象書類名】明細書
【補正対象項目名】００１６
【補正方法】変更
【補正の内容】
【００１６】
本発明の第２の発明によれば、密閉可能な開閉扉を備えた閉鎖区画室と、前記区画室下部の後壁に設けられた排気装置と、前記区画室の上部に設けられ、かつ、開閉板を備えた吸気口装置と、前記排気装置の作動制御装置と、前記区画室内に設置された便器とを有し、前記吸気口装置の前記開閉板は前記排気装置によりもたらされる前記区画室内の負圧によって開動作されて前記吸気口装置から前記区画室に外気が流入されるように構成されていることを特徴とする脱臭型トイレユニットが提供される。